(57)【要約】  浄水器を開示する。  本発明の一実施形態による浄水器は、浄水器本体と、上記浄水器本体の内部に備えられるフィルタブラケットと、上記フィルタブラケットに設置されるメイン浄水フィルタに連結されるポンプを含み、上記浄水器本体の内部に備えられるポンプユニットと、上記メイン浄水フィルタが上記フィルタブラケットに設置されるようにし、且つ上記ポンプによる上記メイン浄水フィルタへの水の供給時に、上記ポンプとメイン浄水フィルタの間の圧力差による振動が上記フィルタブラケットと浄水器本体に伝達されることをフィルタ防振部材を介して減少させる振動伝達防止ユニットと、を含むことができる。
2021530347.tif 000002
【特許請求の範囲】
【請求項１】
浄水器本体と、
前記浄水器本体の内部に備えられるフィルタブラケットと、
前記フィルタブラケットに設置されるメイン浄水フィルタに連結されるポンプを含み、前記浄水器本体の内部に備えられるポンプユニットと、
前記メイン浄水フィルタが前記フィルタブラケットに設置されるようにし、且つ前記ポンプによる前記メイン浄水フィルタへの水の供給時に、前記ポンプとメイン浄水フィルタの間の圧力差による振動が前記フィルタブラケットと浄水器本体に伝達されることをフィルタ防振部材を介して減少させる振動伝達防止ユニットと、
を含む、浄水器。
【請求項２】
前記ポンプユニットは、ポンプ防振部材によって前記ポンプの振動及び騒音が減衰されるように構成される、請求項１に記載の浄水器。
【請求項３】
前記振動伝達防止ユニットは、
前記フィルタブラケットに備えられる前記フィルタ防振部材と、
前記フィルタ防振部材を介して前記フィルタブラケットに連結され、前記メイン浄水フィルタの周囲の一部が挿入されて設置されるクリップ部材と、
前記メイン浄水フィルタの周囲の残りの部分を弾性的に取り囲むように、前記クリップ部材に連結される弾性バンド部材と、
を含む、請求項２に記載の浄水器。
【請求項４】
前記フィルタ防振部材及び弾性バンド部材はゴムからなる、請求項３に記載の浄水器。
【請求項５】
前記クリップ部材には、前記メイン浄水フィルタの周囲の一部が挿入されて設置される円弧状のフィルタ設置部が形成される、請求項３に記載の浄水器。
【請求項６】
前記弾性バンド部材は前記フィルタ設置部に対応する円弧状である、請求項５に記載の浄水器。
【請求項７】
前記クリップ部材にはバンド連結溝が形成され、
前記弾性バンド部材には前記バンド連結溝に挿入されて連結されるバンド連結突起が形成される、請求項３に記載の浄水器。
【請求項８】
前記クリップ部材には補助連結突起が形成され、
前記弾性バンド部材には前記補助連結突起が挿入されて連結される補助連結孔が形成される、請求項７に記載の浄水器。
【請求項９】
前記フィルタブラケットには前記フィルタ防振部材の一端部が挿入されて備えられる挿入支持孔が形成される防振部材支持部が形成され、
前記クリップ部材には前記フィルタ防振部材の他端部が挿入される連結挿入孔が形成される、請求項３に記載の浄水器。
【請求項１０】
前記防振部材支持部には前記挿入支持孔に備えられるように貫通連結突起がさらに形成され、
前記フィルタ防振部材には前記貫通連結突起が貫通される貫通孔が形成される、請求項９に記載の浄水器。
【請求項１１】
前記貫通連結突起に結合孔が形成され、
結合部材が前記結合孔に結合し、前記クリップ部材が前記フィルタブラケットに連結される、請求項１０に記載の浄水器。
【請求項１２】
前記ポンプユニットは、前記ポンプを支持するポンプ支持板と、前記ポンプ支持板に備えられる第１ポンプ防振部材と、を含む第１ポンプ防振部をさらに含む、請求項２に記載の浄水器。
【請求項１３】
前記ポンプユニットは、前記第１ポンプ防振部を支持する支持部材、及び前記支持部材に備えられる第２ポンプ防振部材と、前記ポンプ及び第１ポンプ防振部を覆うように前記支持部材に連結される覆い部材と、を含む第２ポンプ防振部をさらに含む、請求項１２に記載の浄水器。
【請求項１４】
前記第１ポンプ防振部材及び第２ポンプ防振部材はゴムからなる、請求項１３に記載の浄水器。
【請求項１５】
前記ポンプ及びメイン浄水フィルタにおいて、一側にはニップルが備えられ、他側にはニップル又は連結管が挿入されて連結されるか、又は一側及び他側にそれぞれニップル又は連結管が挿入され、「┐」字状の複数個の連結部材を介して連結されて、前記ポンプとメイン浄水フィルタの間の圧力差による振動が前記メイン浄水フィルタに伝達されることを減少させる、請求項３に記載の浄水器。
【請求項１６】
前記メイン浄水フィルタは逆浸透圧フィルタである、請求項１に記載の浄水器。
【発明の詳細な説明】
【技術分野】
【０００１】
本発明は、浄水器に関するものである。
【背景技術】
【０００２】
浄水器は水を濾過してユーザーに供給する装置である。
【０００３】
浄水器には、浄水フィルタがフィルタブラケットなどを介して備えられ、流入した水を濾過する。浄水フィルタのうち逆浸透圧フィルタなどを用いる場合には、逆浸透圧フィルタなどに所定の濾過圧力で水を供給しなければ逆浸透圧フィルタなどを介して水を濾過することができない。
【０００４】
そのため、浄水器には逆浸透圧フィルタなどに連結されるように、ポンプが備えられ、ポンプを介して所定の濾過圧力で逆浸透圧フィルタなどに水を供給する。
【０００５】
従来、かかる構成の浄水器では、防振ゴムなどによってポンプの騒音及び振動を減衰させても、ポンプによる逆浸透圧フィルタなどへの水の供給時に、ポンプと逆浸透圧フィルタなどの間の圧力差による振動が逆浸透圧フィルタなどを介してフィルタブラケットなどと浄水器本体に伝達された。
【発明の概要】
【発明が解決しようとする課題】
【０００６】
本発明は、上記のような従来から発生している要求又は問題のうち少なくともいずれか一つを認識してなされたものである。
【０００７】
本発明の目的のうちの一つは、ポンプによるメイン浄水フィルタへの水の供給時に、ポンプとメイン浄水フィルタの間の圧力差による振動がフィルタブラケットと浄水器本体に伝達されることを減少させることである。
【課題を解決するための手段】
【０００８】
上記課題のうち少なくとも一つの課題を実現するための一実施形態に関連し、 浄水器は、以下のような特徴を含むことができる。
【０００９】
本発明の一実施形態による浄水器は、浄水器本体と、上記浄水器本体の内部に備えられるフィルタブラケットと、上記フィルタブラケットに設置されるメイン浄水フィルタに連結されるポンプを含み、上記浄水器本体の内部に備えられるポンプユニットと、上記メイン浄水フィルタが上記フィルタブラケットに設置されるようにし、且つ上記ポンプによる上記メイン浄水フィルタへの水の供給時に、上記ポンプとメイン浄水フィルタの間の圧力差による振動が上記フィルタブラケットと浄水器本体に伝達されることをフィルタ防振部材を介して減少させる振動伝達防止ユニットと、を含むことができる。
【００１０】
この場合、上記ポンプユニットは、ポンプ防振部材を介して上記ポンプの振動及び騒音が減衰されるように構成されることができる。
【００１１】
また、上記振動伝達防止ユニットは、上記フィルタブラケットに備えられる上記フィルタ防振部材と、上記フィルタ防振部材を介して上記フィルタブラケットに連結され、上記メイン浄水フィルタの周囲の一部が挿入されて設置されるクリップ部材と、上記メイン浄水フィルタの周囲の残りの部分を弾性的に取り囲むように、上記クリップ部材に連結される弾性バンド部材と、を含むことができる。
【００１２】
そして、上記フィルタ防振部材及び弾性バンド部材はゴムからなることができる。
【００１３】
また、上記クリップ部材には、上記メイン浄水フィルタの周囲の一部が挿入されて設置される円弧状のフィルタ設置部が形成されることができる。
【００１４】
そして、上記弾性バンド部材は、上記フィルタ設置部に対応する円弧状であることができる。
【００１５】
また、上記クリップ部材にはバンド連結溝が形成され、上記弾性バンド部材には上記バンド連結溝に挿入されて連結されるバンド連結突起が形成されることができる。
【００１６】
そして、上記クリップ部材には補助連結突起が形成され、上記弾性バンド部材には上記補助連結突起が挿入されて連結される補助連結孔が形成されることができる。
【００１７】
また、上記フィルタブラケットには上記フィルタ防振部材の一端部が挿入されて備えられる挿入支持孔が形成される防振部材支持部が形成され、上記クリップ部材には上記フィルタ防振部材の他端部が挿入される連結挿入孔が形成されることができる。
【００１８】
そして、上記防振部材支持部には上記挿入支持孔に備えられるように貫通連結突起がさらに形成され、上記フィルタ防振部材には上記貫通連結突起が貫通される貫通孔が形成されることができる。
【００１９】
また、上記貫通連結突起に結合孔が形成され、結合部材が上記結合孔に結合して上記クリップ部材が上記フィルタブラケットに連結されることができる。
【００２０】
そして、上記ポンプユニットは、上記ポンプを支持するポンプ支持板と、上記ポンプ支持板に備えられる第１ポンプ防振部材と、を含む第１ポンプ防振部をさらに含むことができる。
【００２１】
また、上記ポンプユニットは、上記第１ポンプ防振部を支持する支持部材、及び上記支持部材に備えられる第２ポンプ防振部材と、上記ポンプ及び第１ポンプ防振部を覆うように上記支持部材に連結される覆い部材と、を含む第２ポンプ防振部をさらに含むことができる。
【００２２】
そして、上記第１ポンプ防振部材及び第２ポンプ防振部材はゴムからなることができる。
【００２３】
また、上記ポンプ及びメイン浄水フィルタにおいて、一側にはニップルが備えられ、他側にはニップル又は連結管が挿入されて連結されるか、又は一側及び他側にそれぞれニップル又は連結管が挿入され、「┐」字状の複数個の連結部材を介して連結されて、上記ポンプとメイン浄水フィルタの間の圧力差による振動が上記メイン浄水フィルタに伝達されることを減少させることができる。
【００２４】
そして、上記メイン浄水フィルタは逆浸透圧フィルタであることができる。
【発明の効果】
【００２５】
以上のように、本発明の実施形態によると、ポンプによるメイン浄水フィルタへの水の供給時に、ポンプとメイン浄水フィルタの間の圧力差による振動がフィルタブラケットと浄水器本体に伝達されることを減少させることができる。
【図面の簡単な説明】
【００２６】
【図１】本発明による浄水器の一実施形態の一部拡大斜視図である。
【図２】図１に示された本発明による浄水器の一実施形態の部分分解斜視図である。
【図３】本発明による浄水器の一実施形態のフィルタブラケット及び振動伝達防止ユニットの分解斜視図である。
【図４】本発明による浄水器の一実施形態のポンプユニットの分解斜視図である。
【図５】本発明による浄水器の一実施形態のフィルタブラケットに振動伝達防止ユニットによってメイン浄水フィルタを設置することを示す図である。
【図６】本発明による浄水器の一実施形態のフィルタブラケットに振動伝達防止ユニットによってメイン浄水フィルタを設置することを示す図である。
【発明を実施するための形態】
【００２７】
以下、上記のような本発明の特徴に対する理解を助けるために、本発明の実施形態に関連する浄水器についてより詳細に説明する。
【００２８】
以下説明される実施形態は、本発明の技術的な特徴を理解させるのに最適な実施形態を基礎に説明されるものであり、説明される実施形態によって本発明の技術的な特徴が制限されるものではなく、以下説明される実施形態のように、本発明を実現することができることを例示するものである。したがって、本発明は、以下説明される実施形態を介して本発明の技術範囲内で様々な変形実施が可能であり、かかる変形実施形態は、本発明の技術範囲内に属すると言える。また、以下説明される実施形態の理解を助けるために、添付された図面に記載された符号に関連し、各実施形態において、同一の作用をするようになる構成要素のうち関連する構成要素は、同一又は延長線上の数字で表記した。
【００２９】
以下、図１〜図６を参照して本発明による浄水器の一実施形態について説明する。
【００３０】
図１は本発明による浄水器の一実施形態の一部拡大斜視図であり、図２は図１に示された本発明による浄水器の一実施形態の部分分解斜視図である。
【００３１】
また、図３は本発明による浄水器の一実施形態のフィルタブラケット及び振動伝達防止ユニットの分解斜視図であり、図４は本発明による浄水器の一実施形態のポンプユニットの分解斜視図である。
【００３２】
そして、図５及び図６は本発明による浄水器の一実施形態のフィルタブラケットに振動伝達防止ユニットによってメイン浄水フィルタを設置することを示す図である。
【００３３】
本発明による浄水器１００の一実施形態は、浄水器本体２００、フィルタブラケット３００、ポンプユニット４００、及び振動伝達防止ユニット５００を含むことができる。
【００３４】
浄水器本体２００は、図１及び図２に示すように、互いに連結される複数個の側面部材２１０と、互いに連結される複数個の側面部材２１０の開放された下部を覆う下面部材２２０と、を含むことができる。その他に、浄水器本体２００は、互いに連結される複数個の側面部材２１０の開放された上部を覆う上面部材（不図示）を含むことができる。これにより、浄水器本体２００の内部には、図１、図５、及び図６に示すように、フィルタブラケット３００及びポンプユニット４００が備えられる空間が形成されることができる。浄水器本体２００の内部空間には、上述したフィルタブラケット３００及びポンプユニット４００に加えて、浄水器の他の部品（不図示）が備えられることができる。
【００３５】
浄水器本体２００の構成は、特に限定されず、内部にフィルタブラケット３００やポンプユニット４００などの浄水器構成品が備えられることができる空間が形成され得る構成であれば周知のいかなる構成であっても可能である。
【００３６】
フィルタブラケット３００は、浄水器本体２００の内部に備えられることができる。フィルタブラケット３００は、例えば、図１に示すように、ボルトなどを介して浄水器本体２００の側面部材２１０に連結されて浄水器本体２００の内部に備えられることができる。しかし、フィルタブラケット３００が浄水器本体２００の内部に備えられる構成は、特に限定されず、周知のいかなる構成であっても可能である。
【００３７】
フィルタブラケット３００にはメイン浄水フィルタＭＦが設置されることができる。フィルタブラケット３００に設置されるメイン浄水フィルタＭＦは、例えば、逆浸透圧フィルタであることができる。しかし、メイン浄水フィルタＭＦは、特に限定されず、周知のいかなる浄水フィルタであっても可能である。
【００３８】
メイン浄水フィルタＭＦは、後述する振動伝達防止ユニット５００により、図５及び図６に示すように、フィルタブラケット３００に設置されることができる。これにより、後述のように、ポンプユニット４００に含まれる後述するポンプ４１０によるメイン浄水フィルタＭＦへの水の供給時に、ポンプ４１０とメイン浄水フィルタＭＦの間の圧力差による振動がメイン浄水フィルタＭＦを介してフィルタブラケット３００及び浄水器本体２００に伝達されることを減少させることができる。
【００３９】
フィルタブラケット３００には、図２及び図３に示すように、メイン浄水フィルタＭＦなどの浄水フィルタＭＦ、ＰＦ、ＡＦが設置されるフィルタ設置空間ＩＳが形成されることができる。例えば、３つのフィルタ設置空間ＩＳがフィルタブラケット３００に形成されることができる。そして、メイン浄水フィルタＭＦ、水の流動方向においてメイン浄水フィルタＭＦの前に位置するようにメイン浄水フィルタＭＦに連結される前処理フィルタＰＦ、及び水の流動方向においてメイン浄水フィルタＭＦの後に位置するようにメイン浄水フィルタＭＦに連結される後処理フィルタＡＦ、といった３つの浄水のフィルタＭＦ、ＰＦ、ＡＦがフィルタブラケット３００に形成される３つのフィルタ設置空間ＩＳにそれぞれ設置されることができる。しかし、フィルタブラケット３００に形成されるフィルタ設置空間ＩＳの数は、特に限定されず、メイン浄水フィルタＭＦを含む浄水フィルタＭＦ、ＰＦ、ＡＦが設置されることができる数であれば、いかなる数であっても可能である。
【００４０】
フィルタ設置空間ＩＳは、図２及び図３に示すように、円筒状の浄水フィルタＭＦ、ＰＦ、ＡＦの一部が挿入されて設置されるように円筒状の一部の形状であることができる。しかし、フィルタ設置空間ＩＳの形状は、特に限定されず、浄水フィルタＭＦ、ＰＦ、ＡＦが設置されることができる形状であれば、いかなる形状であっても可能である。
【００４１】
メイン浄水フィルタＭＦが設置されるフィルタ設置空間ＩＳ以外のフィルタ設置空間ＩＳには、円弧状のフィルタ設置クリップＣＬが備えられることができる。例えば、図２及び図３に示すように、２つのフィルタ設置クリップＣＬがフィルタ設置空間ＩＳに上下に備えられることができる。そして、前処理フィルタＰＦ又は後処理フィルタＡＦがフィルタ設置クリップＣＬに挿入されて挟まれてフィルタ設置空間ＩＳから抜け出ないようにフィルタ設置空間ＩＳに設置されることができる。しかし、メイン浄水フィルタＭＦ以外の浄水フィルタＭＦ、ＰＦ、ＡＦがフィルタ設置空間ＩＳから抜け出ないように設置される構成は、特に限定されず、周知のいかなる構成であっても可能である。
【００４２】
メイン浄水フィルタＭＦが設置されるフィルタ設置空間ＩＳには防振部材支持部３１０が形成されることができる。例えば、図２及び図３に示すように、２つの防振部材支持部３１０は、メイン浄水フィルタＭＦが設置されるフィルタ設置空間ＩＳの上部に形成され、２つの防振部材支持部３１０は、メイン浄水フィルタＭＦが設置されるフィルタ設置空間ＩＳの下部に形成されることができる。しかし、メイン浄水フィルタＭＦが設置されるフィルタ設置空間ＩＳに形成される防振部材支持部３１０の位置及び数は、特に限定されず、いかなる位置又は数であっても可能である。
【００４３】
防振部材支持部３１０には挿入支持孔３１１が形成されることができる。挿入支持孔３１１には振動伝達防止ユニット５００に含まれる後述するフィルタ防振部材５１０の一端部が挿入されて備えられることができる。防振部材支持部３１０には貫通連結突起３１２がさらに形成されることができる。貫通連結突起３１２は、挿入支持孔３１１に備えられるように形成されることができる。貫通連結突起３１２には結合孔３１２ａが形成されることができる。貫通連結突起３１２は、挿入支持孔３１１に一端部が挿入されて支持されるフィルタ防振部材５１０に形成される後述する貫通孔５１１を貫通することができる。そして、後述のように、ボルトなどの結合部材ＢＴが結合孔３１２ａに結合し、振動伝達防止ユニット５００に含まれる後述するクリップ部材５２０がフィルタブラケット３００に連結されるようにすることができる。
【００４４】
ポンプユニット４００は、浄水器本体２００の内部に備えられることができる。例えば、ポンプユニット４００は、図１及び図２に示すように、フィルタブラケット３００の下側の浄水器本体２００の内部に備えられることができる。しかし、ポンプユニット４００が備えられる浄水器本体２００の内部の位置は、特に限定されず、いかなる位置であっても可能である。
【００４５】
ポンプユニット４００は、メイン浄水フィルタＭＦに連結されるポンプ４１０を含むことができる。ポンプ４１０により、所定の濾過圧力によってメイン浄水フィルタＭＦに水を供給することができる。ポンプ４１０は、特に限定されず、所定の濾過圧力によってメイン浄水フィルタＭＦに水を供給することができるものであれば、周知のいかなるものであっても可能である。ポンプ４１０は、水の流動方向においてメイン浄水フィルタＭＦの前に位置する前処理フィルタＰＦに、例えば、連結管ＰＣを介して連結されることができる。これにより、前処理フィルタＰＦで濾過された水は、ポンプ４１０を介して所定の濾過圧力で加圧されて、メイン浄水フィルタＭＦに供給されることができる。
【００４６】
ポンプ４１０及びメイン浄水フィルタＭＦは、図２及び図４に示すような複数個の連結部材ＦＴを介して連結されることができる。連結部材ＦＴは、一側にニップルＮＰが備えられ、他側にニップルＮＰ又は連結管ＰＣが挿入されて連結されるか、又は一側及び他側にそれぞれニップルＮＰ又は連結管ＰＣが挿入されることができる。また、連結部材ＦＴは、「┐」字状であることができる。これにより、複数個の連結部材ＦＴは、外力によって移動可能な自由度を有することができる。そして、ポンプ４１０によるメイン浄水フィルタＭＦへの水の供給時に、ポンプ４１０とメイン浄水フィルタＭＦの間の圧力差による振動がメイン浄水フィルタＭＦに伝達されることを減少させることができる。
【００４７】
ポンプユニット４００は、ポンプ防振部材４２２、４３２を介してポンプ４１０の振動騒音が減衰されるように構成されることができる。
【００４８】
このために、ポンプユニット４００は、第１ポンプ防振部４２０をさらに含むことができる。第１ポンプ防振部４２０は、ポンプ支持板４２１及び第１ポンプ防振部材４２２を含むことができる。ポンプ支持板４２１は、ポンプ４１０を支持することができる。また、第１ポンプ防振部材４２２は、ポンプ支持板４２１に備えられることができる。第１ポンプ防振部材４２２はゴムからなることができる。これにより、ポンプ４１０で発生し、且つポンプ支持板４２１を介して伝達されるポンプ４１０の振動及び騒音が第１ポンプ防振部材４２２によって減衰されることができる。しかし、第１ポンプ防振部材４２２の材料は、特に限定されず、ポンプ４１０の振動及び騒音を減衰させることができる材料であれば、周知のいかなる材料であっても可能である。
【００４９】
ポンプユニット４００は、第２ポンプ防振部４３０をさらに含むことができる。第２ポンプ防振部４３０は、支持部材４３１、第２ポンプ防振部材４３２、及び覆い部材４３３を含むことができる。支持部材４３１は、第１ポンプ防振部４２０を支持することができる。第２ポンプ防振部材４３２は、支持部材４３１に備えられることができる。第２ポンプ防振部材４３２はゴムからなることができる。これにより、第１ポンプ防振部４２０で減衰できなかったポンプ４１０で発生する振動及び騒音を第２ポンプ防振部材４３２によって減衰させることができる。ここで、第２ポンプ防振部材４３２の材料は、特に限定されず、第１ポンプ防振部４２０で減衰できなかったポンプ４１０で発生する振動及び騒音を減衰させることができる材料であれば、周知のいかなる材料であっても可能である。覆い部材４３３は、ポンプ４１０及び第１ポンプ防振部４２０を覆うように支持部材４３１に連結されることができる。覆い部材４３３によってポンプ４１０で発生した騒音が外部に伝達されることを防止させることができる。
【００５０】
振動伝達防止ユニット５００は、メイン浄水フィルタＭＦがフィルタブラケット３００に設置されるようにすることができる。また、振動伝達防止ユニット５００は、ポンプ４１０によるメイン浄水フィルタＭＦへの水の供給時に、ポンプ４１０とメイン浄水フィルタＭＦの間の圧力差による振動がフィルタブラケット３００及び浄水器本体２００に伝達されることをフィルタ防振部材５１０によって減少させるように構成されることができる。
【００５１】
これにより、ポンプ４１０によるメイン浄水フィルタＭＦへの水の供給時に、ポンプ４１０とメイン浄水フィルタＭＦの間の圧力差による振動がメイン浄水フィルタＭＦを介してフィルタブラケット３００及び浄水器本体２００に伝達されることを減少させることができる。
【００５２】
振動伝達防止ユニット５００は、上述したフィルタ防振部材５１０、クリップ部材５２０、及び弾性バンド部材５３０を含むことができる。
【００５３】
フィルタ防振部材５１０は、フィルタブラケット３００に備えられることができる。フィルタ防振部材５１０は、一端部がフィルタブラケット３００の防振部材支持部３１０に形成される上述した挿入支持孔３１１に挿入されて備えられることができる。また、フィルタ防振部材５１０は、他端部がクリップ部材５２０に形成される後述する連結挿入孔５２４に挿入されることができる。そして、フィルタ防振部材５１０には、フィルタブラケット３００の防振部材支持部３１０に形成される上述した貫通連結突起３１２が貫通される貫通孔５１１が形成されることができる。フィルタ防振部材５１０はゴムからなることができる。これにより、ポンプ４１０によるメイン浄水フィルタＭＦへの水の供給時に、ポンプ４１０とメイン浄水フィルタＭＦの間の圧力差による振動がメイン浄水フィルタＭＦに伝達されても、フィルタ防振部材５１０によって減衰されて、フィルタブラケット３００及び浄水器本体２００に伝達されることを減少させることができる。
【００５４】
クリップ部材５２０は、フィルタ防振部材５１０を介してフィルタブラケット３００に連結されることができる。そして、メイン浄水フィルタＭＦの周囲の一部が挿入されて設置されることができる。
【００５５】
クリップ部材５２０にはフィルタ設置部５２１が形成されることができる。フィルタ設置部５２１にはメイン浄水フィルタＭＦの周囲の一部が挿入されて設置されることができる。フィルタ設置部５２１は円弧状であることができる。しかし、フィルタ設置部５２１の形状は、特に限定されず、メイン浄水フィルタＭＦの周囲の一部が挿入されて設置されることができる形状であれば、いかなる形状であっても可能である。
【００５６】
クリップ部材５２０にはバンド連結溝５２２が形成されることができる。バンド連結溝５２２には、弾性バンド部材５３０に形成される後述するバンド連結突起５３１が挿入されて連結されることができる。また、クリップ部材５２０には補助連結突起５２３が形成されることができる。補助連結突起５２３は、弾性バンド部材５３０に形成される後述する補助連結孔５３２に挿入されて連結されることができる。
【００５７】
クリップ部材５２０には連結挿入孔５２４が形成されることができる。連結挿入孔５２４にはフィルタ防振部材５１０の他端部が挿入されることができる。このような状態において、ボルトなどの結合部材ＢＴがフィルタ防振部材５１０の貫通孔５１１を貫通した貫通連結突起３１２の結合孔３１２ａに結合することにより、クリップ部材５２０がフィルタブラケット３００に連結されることができる。そして、クリップ部材５２０は、フィルタ防振部材５１０によって支持されることができる。
【００５８】
弾性バンド部材５３０は、メイン浄水フィルタＭＦの周囲の残りの部分を弾性的に取り囲むようにクリップ部材５２０に連結されることができる。これにより、メイン浄水フィルタＭＦが弾性バンド部材５３０の弾性力によってクリップ部材５２０のフィルタ設置部５２１から外れることがない。弾性バンド部材５３０はゴムからなることができる。しかし、弾性バンド部材５３０の材料は、特に限定されず、クリップ部材５２０に連結されてメイン浄水フィルタＭＦが弾性力によってフィルタ設置部５２１から抜け出ないようにすることができる材料であれば、周知のいかなる材料であっても可能である。
【００５９】
弾性バンド部材５３０はクリップ部材５２０のフィルタ設置部５２１に対応する円弧状であることができる。これにより、弾性バンド部材５３０がクリップ部材５２０のフィルタ設置部５２１に周囲の一部が挿入されて設置されるメイン浄水フィルタＭＦの周囲の残りの部分を取り囲むことができる。しかし、弾性バンド部材５３０の形状は、特に限定されず、クリップ部材５２０に連結されてフィルタ設置部５２１に周囲の一部が挿入されて設置されるメイン浄水フィルタＭＦの周囲の残りの部分を取り囲むことができる形状であれば、いかなる形状であっても可能である。
【００６０】
弾性バンド部材５３０には、クリップ部材５２０の上述したバンド連結溝５２２に挿入されて連結されるバンド連結突起５３１が形成されることができる。また、弾性バンド部材５３０には、クリップ部材５２０の補助連結突起５２３が挿入されて連結される補助連結孔５３２が形成されることができる。これにより、弾性バンド部材５３０がクリップ部材５２０に連結されることができる。しかし、弾性バンド部材５３０がクリップ部材５２０に連結される構成は、特に限定されず、周知のいかなる構成であっても可能である。弾性バンド部材５３０には取っ手５３３が形成され、弾性バンド部材５３０のクリップ部材５２０への連結及び分離が容易に行われるようにすることができる。
【００６１】
以上のように、本発明による浄水器を用いることにより、ポンプによるメイン浄水フィルタへの水の供給時に、ポンプとメイン浄水フィルタの間の圧力差による振動がフィルタブラケット及び浄水器本体に伝達されることを減少させることができる。
【００６２】
上記のように説明される浄水器は、上記説明した実施形態の構成が限定されるように適用されることができるものではなく、上記実施形態は、様々な変形が行われるように、各実施形態の全部又は一部が選択的に組み合わされて構成されてもよい。
【図１】
2021530347.tif 000003
【図２】
2021530347.tif 000004
【図３】
2021530347.tif 000005
【図４】
2021530347.tif 000006
【図５】
2021530347.tif 000007
【図６】
2021530347.tif 000008
【手続補正書】
【提出日】令和3年3月16日(2021.3.16)
【手続補正１】
【補正対象書類名】特許請求の範囲
【補正対象項目名】全文
【補正方法】変更
【補正の内容】
【特許請求の範囲】
【請求項１】
浄水器本体と、
前記浄水器本体の内部に備えられるフィルタブラケットと、
前記フィルタブラケットに設置されるメイン浄水フィルタに連結されるポンプを含み、前記浄水器本体の内部に備えられるポンプユニットと、
前記メイン浄水フィルタが前記フィルタブラケットに設置されるようにし、且つ前記ポンプによる前記メイン浄水フィルタへの水の供給時に、前記ポンプとメイン浄水フィルタの間の圧力差による振動が前記フィルタブラケットと浄水器本体に伝達されることをフィルタ防振部材を介して減少させる振動伝達防止ユニットと、
を含み、
前記振動伝達防止ユニットは、
前記フィルタブラケットに備えられる前記フィルタ防振部材と、
前記フィルタ防振部材を介して前記フィルタブラケットに連結され、前記メイン浄水フィルタの周囲の一部が挿入されて設置されるクリップ部材と、
前記メイン浄水フィルタの周囲の残りの部分を弾性的に取り囲むように、前記クリップ部材に連結される弾性バンド部材と、
を含み、
前記フィルタ防振部材及び弾性バンド部材はゴムからなり、
前記ポンプユニットは、
前記ポンプを支持するポンプ支持板と、前記ポンプ支持板に備えられる第１ポンプ防振部材と、を含む第１ポンプ防振部と、
前記第１ポンプ防振部を支持する支持部材と、前記支持部材に備えられる第２ポンプ防振部材と、前記ポンプ及び第１ポンプ防振部を覆うように前記支持部材に連結される覆い部材と、を含む第２ポンプ防振部と、
をさらに含み、
前記第１ポンプ防振部材及び第２ポンプ防振部材はゴムからなる、浄水器。
【請求項２】
前記クリップ部材には、前記メイン浄水フィルタの周囲の一部が挿入されて設置される円弧状のフィルタ設置部が形成される、請求項１に記載の浄水器。
【請求項３】
前記弾性バンド部材は前記フィルタ設置部に対応する円弧状である、請求項２に記載の浄水器。
【請求項４】
前記クリップ部材にはバンド連結溝が形成され、
前記弾性バンド部材には前記バンド連結溝に挿入されて連結されるバンド連結突起が形成される、請求項１に記載の浄水器。
【請求項５】
前記クリップ部材には補助連結突起が形成され、
前記弾性バンド部材には前記補助連結突起が挿入されて連結される補助連結孔が形成される、請求項４に記載の浄水器。
【請求項６】
前記フィルタブラケットには前記フィルタ防振部材の一端部が挿入されて備えられる挿入支持孔が形成される防振部材支持部が形成され、
前記クリップ部材には前記フィルタ防振部材の他端部が挿入される連結挿入孔が形成される、請求項１に記載の浄水器。
【請求項７】
前記防振部材支持部には前記挿入支持孔に備えられるように貫通連結突起がさらに形成され、
前記フィルタ防振部材には前記貫通連結突起が貫通される貫通孔が形成される、請求項６に記載の浄水器。
【請求項８】
前記貫通連結突起に結合孔が形成され、
結合部材が前記結合孔に結合し、前記クリップ部材が前記フィルタブラケットに連結される、請求項７に記載の浄水器。
【請求項９】
前記ポンプ及びメイン浄水フィルタにおいて、一側にはニップルが備えられ、他側にはニップル又は連結管が挿入されて連結されるか、又は一側及び他側にそれぞれニップル又は連結管が挿入され、「┐」字状の複数個の連結部材を介して連結されて、前記ポンプとメイン浄水フィルタの間の圧力差による振動が前記メイン浄水フィルタに伝達されることを減少させる、請求項１に記載の浄水器。
【請求項１０】
前記メイン浄水フィルタは逆浸透圧フィルタである、請求項１に記載の浄水器。
【国際調査報告】
2021530347.tif 000009
2021530347.tif 000010
2021530347.tif 000011
2021530347.tif 000012